(57)【要約】    【課題】ローコストで簡易に設置でき、維持費も要らず省エネルギーという面からも好ましい、小住宅に適した屋根裏換気装置を提供する。    【解決手段】小住宅用屋根裏換気装置１は、建物の太陽光１２に向かう側の外壁３に取付けた上下筒１が赤外線吸収性材料で構成され、上下筒１の下部が建物外部に開口し、換気口８を有する屋根裏空間７に向けて上下筒１の上部が開口している。【選択図】図１
2007285645.tif 000002
【特許請求の範囲】
【請求項１】
建物の太陽光に向かう側の外壁に取付けた上下筒が赤外線吸収性材料で構成され、該上下筒の下部が建物外部に開口し、換気口を有する屋根裏空間に向けて該上下筒の上部が開口していることを特徴とする小住宅用屋根裏換気装置。
【請求項２】
該赤外線吸収性材料が金属板に赤外線吸収塗料を塗装した材料であることを特徴とする請求項１に記載の小住宅用屋根裏換気装置。
【請求項３】
該換気口の少なくとも１つが、前記した上下筒の上部の開口とは、該屋根裏空間を介して離れた位置に開口していることを特徴とする請求項１に記載の小住宅用屋根裏換気装置。
【請求項４】
該換気口が、前記した上下筒の上部の開口より上に位置していることを特徴とする請求項１に記載の小住宅用屋根裏換気装置。
【発明の詳細な説明】
【技術分野】
【０００１】
本発明は、太陽熱を利用した自然対流による屋根裏換気装置であって、小住宅に設置するのに適したものに関する。
【背景技術】
【０００２】
住宅や建物の屋根裏は、換気が不十分であると、夏場には熱、湿気が篭り、冬場には結露し、さらに寒冷地では凍結してしまう。かかる事態は住宅の住み心地を悪くするばかりでなく、住宅の耐久性にも悪影響を及ぼすことになる。特に廉価な小住宅においては、屋根裏の容積を大きく取れないために問題が発生しやすい。
【０００３】
そのため、屋根裏の外壁に換気口を開け換気をしている。屋根裏に強風が吹き込んだり、雨、埃等が入るのを防ぐため、換気口をルーバー構造にするなどの工夫がなされている。最近では電動の換気扇を設置しているものもある。
【０００４】
特許文献１には、建物の自然換気装置が開示されている。この装置は、建物の略中央部に、床下から小屋裏を通り屋上に通じる吹き抜け部が縦に形成され、吹き抜け部の側壁には建物内の居室に通じる換気口が形成されている。屋上の開口部周辺が太陽光により加熱され上昇気流で、吹き抜け部の床下空間を通して空気が下から流入し、居室が冷やされる。
【０００５】
【特許文献１】特開平１１−２９９９２号公報
【発明の開示】
【発明が解決しようとする課題】
【０００６】
上記した特許文献１の換気装置は、屋根裏を換気する構成ではないし、建物の中央部に設置するなど、大掛かりであり、建物の新築時でなければ設置が困難である。電動の換気扇を設置したものは、電気工事を伴うのみならず、運転のための電力エネルギーを必要とする。小さな住宅、例えば仮設住宅や離れ家式の子供の勉強部屋などは、もともとローコストに出来ており、換気装置も新築時に設置するだけではなく、既設の住宅でも簡単に増設できることが求められている。
【０００７】
本発明は前記の課題を解決するためになされたもので、ローコストで簡易に設置でき、電気も使用しないため維持費や管理手間も要らず、省エネルギーという面からも好ましい、小住宅に適した屋根裏換気装置を提供することを目的とする。また、本発明の屋根裏換気装置を取り付ける際、デザイン上も問題なく、むしろデザインが生かされる装置を提供することも目的とする。
【課題を解決するための手段】
【０００８】
前記の目的を達成するためになされた、特許請求の範囲の請求項１に記載された小住宅用屋根裏換気装置は、建物の太陽光に向かう側の外壁に取付けた上下筒が赤外線吸収性材料で構成され、該上下筒の下部が建物外部に開口し、換気口を有する屋根裏空間に向けて該上下筒の上部が開口していることを特徴とする。
【０００９】
同じく請求項２に記載された小住宅用屋根裏換気装置は、請求項１に記載の装置であって、該赤外線吸収性材料が金属板に赤外線吸収塗料を塗装した材料であることを特徴とする。
【００１０】
請求項３に記載された小住宅用屋根裏換気装置は、請求項１に記載の装置であって、該換気口の少なくとも１つが、前記した上下筒の上部の開口とは、該屋根裏空間を介して離れた位置に開口していることを特徴とする。
【００１１】
請求項４に記載された小住宅用屋根裏換気装置は、請求項１に記載の装置であって、該換気口が、前記した上下筒の上部の開口より上に位置していることを特徴とする。
【発明の効果】
【００１２】
本発明の小住宅用屋根裏換気装置は、建物の外壁に筒を取付け屋根裏へ筒の上端を挿入するだけで完成する簡易な構成であるため、既設の建物にも利用できる。安価である上に外部エネルギーを必要としない自然対流で屋根裏の換気ができる。したがって、経済面でも優れているだけではなく、ＣＯ２排出の抑制など環境維持の面でも極めて好ましいものである。また、この屋根裏換気装置を使用することで住宅の住み心地が改善されるとともに、住宅を長持ちさせることにもなる。
【実施例】
【００１３】
以下、本発明の実施例を詳細に説明するが、本発明の範囲はこれらの実施例に限定されるものではない。
【００１４】
図１は本発明を適用する一実施例の屋根裏換気装置を取付けた切妻屋根の小住宅の概略断面図である。図２は同じく屋根裏換気装置を取付けた切妻屋根の小住宅の外正面図である。
【００１５】
これらの図に示すように、小住宅１０は、外壁３と屋根６があり、これらと天井断熱材１１に囲まれた内部に屋根裏空間７が形成される。屋根裏部の外壁３の数箇所にはルーバーの換気口８が開口している。
【００１６】
この屋根裏換気装置は、小住宅１０の南に面した外壁３に上下の偏平断面の角筒１が三ヶ所に取付けられた構造である。上下の角筒１は上部に水平な丸筒２が接続され、丸筒２は外壁３を貫通して端面開口が屋根裏空間７に挿入されている。丸筒２の端面開口の位置は換気口８の位置よりも低く、天井断熱材１１の上面と略同一レベルとなっている。上下の角筒１の下端は小住宅１０の建物外部下方に下向きで開口している。上下の角筒１は、ブリキの板金に黒色の塗装をし、太陽光の熱線を吸収しやすくしてある。
【００１７】
かかる屋根裏換気装置を取付けた小住宅１０は、矢印１２のように日光が当たると南面の上下角筒１が熱線を吸収して筒内の空気が暖められて上昇気流となる。下部開口から建物外部の外気が吸込まれ、上下角筒１を通って丸筒２の端面開口から屋根裏空間に入り、さらに換気口８から外部に抜ける。これにより屋根裏の冬場の結露防止と、夏場の熱気の放出とが達成される。
【００１８】
図３には、屋根裏換気装置に使用される上下筒１の断面の各種実施例が示されている。(Ａ)は断面が偏平な矩形角筒の例、(Ｂ)は断面が偏平な台形角筒の例、(Ｃ)は断面が半円筒の例、(Ｄ)は断面が複数の偏平な矩形角筒の連なった例、(Ｅ)は断面が複数の偏平な台形角筒の連なった例、(Ｆ)は断面が複数の半円筒の連なった例である、この様に機能面と共にデザイン面での工夫も出来る。
【００１９】
上記の実施例では、赤外線吸収塗料として黒色の塗料を使用している。しかし、赤外線吸収塗料は黒色に限定されることなく、太陽光線を効率良く吸収し、周囲を発熱させることができるものであればよい。具体的には、カーボンブラックの含有率の高いポリエステル系粉体塗料、セラミックス系、炭化ケイ素系、黒鉛等の黒体に近い物質を多く含む遠赤外線吸収塗料等がある。遠赤外線放射塗料と呼ばれていることもある。具体的には、４３２４ダークブラウン（神東塗料株式会社製）、パウダックスＰ１５０ブラウンブラック（日本ペイント株式会社製）、Ｂ−ＫＳ２００（セラミックコート株式会社製）、Ｗ−５００あるいはＷ−６００（オキツモ株式会社製）が挙げられる。その他には、太陽熱温水器用に作られている、ソーラーペイントＡＰ−１Ａ（オキツモ株式会社製）がある。また熱源から輻射される熱エネルギーを高効率で利用するための高効率輻射塗料Ｂ−６００（オキツモ株式会社製）も利用できる。
【００２０】
さらに赤外線吸収性材料は、太陽光線を効率良く吸収し、周囲を発熱させることができるものであれば、金属板に赤外線吸収塗料を塗装した材料にかぎらず、樹脂の成形品やセラミック等、材質には限定されずに採用できる。
【００２１】
図４、図５には、陸屋根の小住宅に本発明の屋根裏換気装置を取付けた例が示してある。この実施例の構成は小住宅の屋根が陸屋根構造となっている以外は図２、図３の実施例に示したものと同一である。
【図面の簡単な説明】
【００２２】
【図１】本発明を適用する一実施例の屋根裏換気装置が取付けられた小住宅の概略断面図である。
【００２３】
【図２】本発明を適用する一実施例の屋根裏換気装置が取付けられた小住宅の外正面図である。
【００２４】
【図３】本発明を適用する屋根裏換気装置の上下筒の断面を示す図である。
【００２５】
【図４】本発明を適用する屋根裏換気装置が取付けられた前記とは別な形状の小住宅の概略断面図である。
【００２６】
【図５】本発明を適用する屋根裏換気装置が取付けられた当該別な形状の小住宅の外正面図である。
【符号の説明】
【００２７】
１は上下筒、２は丸筒、３は外壁、６は屋根、７は屋根裏空間、８は換気口、１０は小住宅、１１は天井断熱材、１２は日光線である。
【図１】
2007285645.tif 000003
【図２】
2007285645.tif 000004
【図３】
2007285645.tif 000005
【図４】
2007285645.tif 000006
【図５】
2007285645.tif 000007